(57)【要約】      （修正有）【課題】ＦＰＣに無理な応力をかけずにＦＰＣの挿抜が可能なＦＰＣ用コネクタ及びＦＰＣを提供する。【解決手段】略直方体状のハウジング２は、ＦＰＣ９の突起部９−ａと係合する角部６−ｂを含む左右一対のサイドロック６を有し、サイドロックは開閉軸１０でハウジングへ回転可能に取り付ける。ＦＰＣの挿入時に突起部の斜辺部分がサイドロックの角部に当接し、ＦＰＣが奥へと挿入されるに従って突起部に押されるとサイドロックが開閉軸を中心に外側に開き、ＦＰＣが完全に挿入されるとサイドロックの角部がＦＰＣの突起部の角部に係合し、サイドロックがＦＰＣを両側からロックする。【選択図】図５
2012009329.tif 000002
【特許請求の範囲】
【請求項１】
先端両側に抜け止め用突起部を有するＦＰＣ（フレキシブルプリント基板）を接続するためのＦＰＣ用コネクタであって、
略直方体状のハウジングを備え、
前記ハウジングは、
前記ＦＰＣが挿入される挿入口と、
前記挿入口の奥にあって、前記挿入口から挿入された前記ＦＰＣの端子と接触するＦＰＣ接触端子と、
前記ＦＰＣの抜け止め用突起部と係合し、前記ＦＰＣを左右両側からロックするための左右一対のサイドロックと、を有し、
前記ＦＰＣの先端両側に形成された抜け止め用突起部は、先端部から後側に向けて徐々に傾斜する斜辺部と、前記抜け止め用突起部の後端部に形成され、前記サイドロックと係合するための角部とを有し、
前記サイドロックは、前記ハウジングに開閉軸を中心に回転可能に取り付けられ、前記ＦＰＣの抜け止め用突起部の斜辺部に当接して前記開閉軸を中心に回転する当接部と、前記サイドロックの角部と係合する角部とを有し、
前記ＦＰＣの挿入時には、前記ＦＰＣの抜け止め用突起部の斜辺部により前記サイドロックの当接部が押され、前記ＦＰＣが挿入されるに従って前記サイドロックが前記開閉軸を中心に外側に開き、前記ＦＰＣが前記ＦＰＣ接触端子と導通するまで挿入された時には、前記サイドロックが前記開閉軸を中心に内側に回転して前記サイドロックの角部が、前記抜け止め用突起部の後端の角部と係合し、前記ＦＰＣを両側からロックすることを特徴とするＦＰＣ用コネクタ。
【請求項２】
前記サイドロックの当接部は円弧状に形成され、前記ＦＰＣの挿入時に前記ＦＰＣの突起部の斜辺部分が前記サイドロックの円弧状部に当接することを特徴とする請求項１に記載のＦＰＣ用コネクタ。
【請求項３】
前記ハウジングは、その上部に、前記ハウジングの上面と側面とを覆う正面からは略コの字型のロックレバーを更に備え、
前記ロックレバーは、その一端をヒンジとして、前記ハウジングの上部に開閉可能に取り付けられ、前記ハウジングの上面及び側面を覆うように閉じることで、前記サイドロックが前記ＦＰＣをロックした状態を保持することを特徴とする請求項１又は２に記載のＦＰＣ用コネクタ。
【請求項４】
前記ロックレバーは、前記ハウジングの側面に形成されたハウジング凹部と嵌合するロック用フックを、左右の両側面に備えることを特徴とする請求項３に記載のＦＰＣ用コネクタ。
【請求項５】
前記サイドロックは前記開閉軸に接合され、前記ＦＰＣの挿入時に前記サイドロックの当接部が前記抜け止め用突起部に押された時には、前記サイドロックが前記開閉軸と共に前記開閉軸を中心にねじれることによって外側に開き、前記ＦＰＣが前記ＦＰＣ接触端子と導通するまで挿入された時には、前記サイドロックの復元力によって前記サイドロックが前記開閉軸を中心に回転して元の状態に戻ることを特徴とする請求項１乃至４に記載のＦＰＣ用コネクタ。
【請求項６】
前記サイドロックは、前記開閉軸に回転可能に取り付けられ、且つ、前記回転軸にはバネが取り付けられ、前記ＦＰＣの挿入時に前記ＦＰＣの抜け止め用突起部により前記サイドロックの当接部が押された時には、前記バネのバネ圧力に抗して前記サイドロックが前記開閉軸を中心に回転して外側に開き、前記ＦＰＣが前記ＦＰＣ接触端子と導通するまで挿入された時には、前記サイドロックが前記バネのバネ圧力によって前記開閉軸を中心に内側に回転して元の状態に戻ることを特徴とする請求項１乃至４のいずれか１項に記載のＦＰＣ用コネクタ。
【請求項７】
請求項１乃至６のいずれか１項に記載のＦＰＣ用コネクタに接続されるＦＰＣであって、先端両側に前記抜け止め用突起部を有することを特徴とするＦＰＣ。
【発明の詳細な説明】
【技術分野】
【０００１】
本発明は、ＦＰＣ（Flexible Printed Circuit；フレキシブルプリント基板）に着脱可能に接続されるＦＰＣ用コネクタ及びＦＰＣに関する。
【背景技術】
【０００２】
小型化が要求される携帯電話機に代表される可搬性のある携帯機器では、その回路にＦＰＣ用コネクタが用いられる場合がある。この場合、携帯機器では、落下による衝撃や持ち運ぶ際の振動が携帯機器に加えられる恐れがあることから、かかる衝撃及び振動の対策を考慮した設計が求められている。
【０００３】
しかしながら、現在、携帯機器に用いられるＦＰＣ用コネクタは、小型で構造が簡略であるため、ＦＰＣ用コネクタがＦＰＣを保持する力は十分とは言い難く、落下による衝撃や持ち運ぶ際の振動等によってＦＰＣがＦＰＣ用コネクタから外れやすいという問題があった。
【０００４】
そこで、例えば、特許文献１には、ＦＰＣに抜け止め用突起を形成し、ＦＰＣ用コネクタ側の突起と嵌合させる抜け防止構造を有するＦＰＣ用コネクタが提案されている。即ち、特許文献１には、端末部の両翼に抜け止め防止用の一対の係合凸部１３、１４を有するＦＰＣ１が挿入される凹部２１が形成された略直方体状のハウジング２に、ＦＰＣ１の一対の係合凸部１３、１４にそれぞれ係止する一対の係合突起２１ａ、２１ｂを有し、且つ、一対の係合突起２１ａ、２１ｂに隣接してその係合突起を保護する金属補強板２ａ、２ｂを有するＦＰＣ用コネクタが開示されている。
【先行技術文献】
【特許文献】
【０００５】
【特許文献１】特開２００６−１９６４２４号公報
【発明の概要】
【発明が解決しようとする課題】
【０００６】
しかしながら、特許文献１に開示されている発明は、ＦＰＣをＦＰＣ用コネクタから挿抜する際には、ＦＰＣの端末部の両翼に設けられた一対の係合突起によりこの一対の係合突起に係止するＦＰＣ用コネクタ側の係合突起が破損し易く、ＦＰＣに無理な応力がかかるという課題があった。
【０００７】
本発明は上記に鑑みてなされたもので、ＦＰＣに無理な応力をかけずに挿抜が可能なＦＰＣ用コネクタを提供することを目的とする。また、本発明はこのＦＰＣ用コネクタに対応したＦＰＣを提供することを目的とする。
【課題を解決するための手段】
【０００８】
上述の課題を解決するため、本発明に係るＦＰＣ用コネクタは、先端両側に抜け止め用突起部を有するＦＰＣ（フレキシブルプリント基板）を接続するためのＦＰＣ用コネクタであって、略直方体状のハウジングを備え、前記ハウジングは、前記ＦＰＣが挿入される挿入口と、前記挿入口の奥にあって、前記挿入口から挿入された前記ＦＰＣの端子と接触するＦＰＣ接触端子と、前記ＦＰＣの抜け止め用突起部と係合し、前記ＦＰＣを左右両側からロックするための左右一対のサイドロックと、を有し、前記ＦＰＣの先端両側に形成された抜け止め用突起部は、先端部から後側に向けて徐々に傾斜する斜辺部と、前記抜け止め用突起部の後端部に形成され、前記サイドロックと係合するための角部とを有し、前記サイドロックは、前記ハウジングに開閉軸を中心に回転可能に取り付けられ、前記ＦＰＣの抜け止め用突起部の斜辺部に当接して前記開閉軸を中心に回転する当接部と、前記サイドロックの角部と係合する角部とを有し、前記ＦＰＣの挿入時には、前記ＦＰＣの抜け止め用突起部の斜辺部により前記サイドロックの当接部が押され、前記ＦＰＣが挿入されるに従って前記サイドロックが前記開閉軸を中心に外側に開き、前記ＦＰＣが前記ＦＰＣ接触端子と導通するまで挿入された時には、前記サイドロックが前記開閉軸を中心に内側に回転して前記サイドロックの角部が、前記抜け止め用突起部の後端の角部と係合し、前記ＦＰＣを両側からロックすることを特徴とする。
【発明の効果】
【０００９】
本発明によれば、ＦＰＣを両側から保持するサイドロック機構を設けているため、確実にＦＰＣの抜けを防止できると共に、サイドロック機構はＦＰＣの先端両側に形成された突起部に当接し、ＦＰＣの挿抜動作に応じて回転する構造であるため、ＦＰＣに無理な応力をかけずに挿抜することが可能となる。
【図面の簡単な説明】
【００１０】
【図１−１】本発明の第１の実施の形態に係るＦＰＣ用コネクタの上面側の外観図である。
【図１−２】本発明の第１の実施の形態に係るＦＰＣ用コネクタの正面側の外観図である。
【図１−３】本発明の第１の実施の形態に係るＦＰＣ用コネクタの側面側の外観図である。
【図２−１】図１−１に示すＡのラインで本発明の第１の実施の形態に係るＦＰＣ用コネクタを切断した断面図である。
【図２−２】図１−１に示すＢのラインで本発明の第１の実施の形態に係るＦＰＣ用コネクタを切断した断面図である。
【図３−１】図２−１においてロックを解除（ロックレバーを開放）した状態を示す図である。
【図３−２】図２−２においてロックを解除（ロックレバーを開放）した状態を示す図である。
【図４】図１−２に示すＣのラインで本発明の第1の実施の形態に係るＦＰＣ用コネクタを切断した断面図である。
【図５】図４の状態から、ＦＰＣが挿入される状態を示す図である。
【図６】図５の状態から、ＦＰＣが完全に挿入された状態を示す図である。
【図７】図６の状態から、ロックレバーを閉じた状態を示す図である。
【図８】図７の状態から、ＦＰＣを抜去した時を示す図である。
【図９】図７に示すロック状態での本発明の第１の実施の形態に係るＦＰＣ用コネクタの側面図である。
【図１０】ロックを解除した本発明の第１の実施の形態に係るＦＰＣ用コネクタの側面図である。
【図１１】本発明の第２の実施の形態に係るＦＰＣ用コネクタを、図１−１に示すＣのラインに相当する個所で切断した場合の断面図である。
【発明を実施するための形態】
【００１１】
以下、図面を参照しながら、本発明の実施の形態について詳細に説明する。
【００１２】
（第１の実施の形態）
図１−１及び図１−２に示すように、ＦＰＣ用コネクタ１の外装は略直方体状の合成樹脂等で作製されたコネクタハウジング２であり、コネクタハウジング２は、ロックレバー３と、ＦＰＣ９（図２−１）が挿入される挿入口２０（図１−２）と、ＦＰＣ９の先端部に接触することで、ＦＰＣ９と電気的に導通するＦＰＣ接触端子５と、ＦＰＣ接触端子５と電気的に接続され、他のケーブル又は機器と電気的に接続される端子４とを有する。ロックレバー３は、その内側部分であるインナーロックレバー３−ａと、その外側部分であるアウターロックレバー３−ｂと、開閉用ツメ３−ｃとを含む。
【００１３】
図１−３に示すように、アウターロックレバー３−ｂは、コネクタハウジング２の側面まで覆う形状であって、側面下部でロックが掛かるようにするための突起であるロック用フック７−ａが設けられている。後述するようにロック用フック７−ａとハウジング凹部７−ｂ（図１０）との係合によりロックレバー３−ｂはハウジング２にロックされる。更に、アウターロックレバー３−ｂは、ロックレバー３の開閉を容易にするための開閉用ツメ３−ｃを有している。
【００１４】
ロックレバー３の外側部分であるアウターロックレバー３−ｂは、コネクタハウジング２の上面のみならず側面まで覆う形状であることから、図１−２に示すように正面から見ると略コの字型を呈している。また、図１−２及び図２−１に示すようにスリット状を呈するＦＰＣの挿入口２０には、ガイドの役目を果たすガイドバー２−ａを有する。
【００１５】
なお、本実施の形態では、ロックレバー３を、インナーロックレバー３−ａとアウターロックレバー３−ｂとに分けたが、インナーロックレバー３−ａとアウターロックレバー３−ｂとが一体であってもよい。
【００１６】
図２−１は、図１−１に示すＡのラインで本発明の第１の実施の形態に係るＦＰＣ用コネクタを切断した断面図であり、図２−２は、図１−１に示すＢのラインで本発明の第１の実施の形態に係るＦＰＣ用コネクタを切断した断面図であり、それぞれ、ＦＰＣコネクタ１にＦＰＣ９を挿入した状態を表している。
【００１７】
図２−１に示す断面Ａはロックレバー３のアクチュエータ部、図２−２に示す断面ＢはＦＰＣ接触端子部５を詳細に示す。図２−１に示すように、断面Ａでは、回転軸８がヒンジとなってロックレバー３が開閉可能に取り付けられている。
【００１８】
また、図２−２に示すように、ロック状態（ロックレバー３が閉じている状態）では、インナーロックレバー３−ａがＦＰＣ接触端子５に潜り込む形となり、ＦＰＣ９の端子部のＦＰＣ接触端子５への接圧が確保される。この機構は一般のＦＰＣ用コネクタの構造を踏襲している。
【００１９】
図３−１は、図２−１においてロックを解除（ロックレバー３を開放）した状態を示す図であり、図３−２は、図２−２においてロックを解除（ロックレバー３を開放）した状態を示す図である。図３−１、図３−２では、ロックレバー３が開放されることにより、ＦＰＣ９のＦＰＣコネクタ１への圧接が解除されている。
【００２０】
図４は、図２−１に示すＣのラインで本発明の第１の実施の形態に係るＦＰＣ用コネクタを切断した断面図である。図４に示すように、本発明の第１の実施の形態に係るＦＰＣ用コネクタは、コネクタハウジング２の挿入口２０（図１−２）からＦＰＣ接触端子５に至るまでの中途に、ＦＰＣ９を側面から固定する左右一対のサイドロック６と、サイドロック６の開閉軸１０とを有する。
【００２１】
左右一対のサイドロック６は略Ｌ字型で、開閉軸１０を中心に回転可能であり、図４に示すように略Ｌ字型のサイドロック６のＦＰＣ接触端子５側に略円弧状の円弧状部６−ａが形成され、略Ｌ字型の内側に相当する円弧状部６−ａの上方位置に角部６−ｂが形成されている。本実施の形態では、ＦＰＣ９の突起部９−ａに当接するサイドロック６の当接部として略円弧状の円弧状部６−ａを形成しているが、本発明はこれに限ることなく、例えば、直線状、多角形状等であってもよい。
【００２２】
図５は、ＦＰＣ用コネクタ１にＦＰＣ９が挿入される途中の状態を示す図である。ＦＰＣ９は先端両側に略台形状の突起部９−ａがあり、略台形状の突起部９−ａの斜辺部分がサイドロック６の円弧状部６−ｂに当接する。ＦＰＣ９の突起部９−ａの後端には角部９−ｂが形成され、この角部９−ｂにサイドロック６の角部６−ｂが係合し、ＦＰＣ９を両側からロックする構造である（図９参照）。
【００２３】
開閉軸１０はコネクタハウジング２と一体に形成され、弾性を有する合成樹脂等で作製されたサイドロック６が開閉軸１０と接合されている。この構造により、ＦＰＣ９の先端部の突起部９−ａにサイドロック６の円弧状部６−ａが押されると、サイドロック６は開閉軸１０を中心に時計回り回転する。その際、本例では、サイドロック６は開閉軸１０と共にねじれる形となる。ＦＰＣ９の突起部９−ａの押す力がなくなると、サイドロック９は自身の復元力で開閉軸１０を中心に反時計回りに回転し、元の状態に戻る。
【００２４】
ＦＰＣ９の挿入時等にサイドロック６が開閉軸１０を中心に徐々に時計回りに回転するためには、図５に拡大して示すようにサイドロック６の円弧状部９−ａの径（開閉軸１０からの距離）は、外側の径をＲ１、内側の径をＲ２とすると、Ｒ１＞Ｒ２となるように外側から内側に向けて徐々に径が短くなるようにしておく。
【００２５】
次に、ＦＰＣ９の挿入時の動作を説明する。図４に示す状態から図５に示すようにＦＰＣ９がＦＰＣ用コネクタ１に挿入されると、ＦＰＣ９の突起部９−ａの斜辺部がサイドロック６の円弧状部６−ａに当接し、ＦＰＣ９が挿入されるに従ってサイドロック６の円弧状部６−ａが突起部９−ａの斜辺部分に押され、サイドロック６は開閉軸１０を中心に時計回りに回転しながら徐々に外側に開いていく。
【００２６】
図６は図５の状態からＦＰＣ９が完全に挿入された状態を示す。図５に示す状態からＦＰＣ９が完全に挿入され、ＦＰＣ接触端子５と導通するまで完全に挿入され、ＦＰＣ９の突起部９−ａがサイドロック６の円弧状部６−ａを通り過ぎると、図６に示すようにサイドロック６は開閉軸１０を中心に自身の復元力で元の状態に戻り、ＦＰＣ９の突起部９−ａの後端の角部９−ｂにサイドロック６の内側の角部６−ｂが係合する。このようにして左右一対のサイドロック６は再び閉じた状態となり、ＦＰＣ９はサイドロック６により両側からロックされた状態となる。なお、ＦＰＣ９の突起部９−ａは略台形状であるが、その斜辺は直線以外に略円弧状等の曲線であってもよい。
【００２７】
図７は図６の状態からロックレバー３を閉じた状態を示す。ロックレバー３を閉じると、ロックレバー３は図１−３に示すロック用フック７−ａがコネクタハウジング２に形成されたハウジング凹部７−ｂに嵌合し、サイドロック６はＦＰＣ９に係合した状態で固定され、ＦＰＣ９がサイドロック６によりロックされた状態を保持する。ロック用フック７−ａとハウジング凹部７−ｂはそれぞれ２個形成されている。図７に示すロック状態のＦＰＣ用コネクタ１の側面図を図８に示す。
【００２８】
仮にコネクタハウジング２の側面からサイドロック６が若干飛び出している状態、即ち、サイドロック６とＦＰＣ９の突起部９−ａとの係合が不十分な場合であっても、ロックレバー３を閉じることにより、飛び出し気味のサイドロック６は、ロックレバー３の内側壁面で押し込まれ、完全に固定される。飛び出し気味のサイドロック６を押し込むために、コネクタハウジング２を覆うアウターロックレバー３−ｂの側面は、その下方が外側に広がっていてもよい。
【００２９】
次に、ＦＰＣ９をＦＰＣ用コネクタ１から引き抜く場合の動作を説明する。図９は図７の状態から、ＦＰＣ９を抜去する途中の状態を示す図である。図１−３に示す開閉用ツメ３−ｃを持ち上げることにより、ロックレバー３が開放され、サイドロック６は固定状態から可動可能な状態へ変わる。
【００３０】
次いで、ＦＰＣ９を引き抜く場合には、図９に示すようにＦＰＣ９の引き抜き動作に応じてサイドロック６の角部６−ｂがＦＰＣ９の突起部９−ａの後端の角部９−ｂに押され、サイドロック６は開閉軸１０を中心に反時計回りに回転して外側に開いていく。そのため、ＦＰＣ９の突起部９−ａとサイドロック６との係合が解除され、ＦＰＣ９はＦＰＣ用コネクタ１から引き抜くことが可能となる。ＦＰＣ９を引き抜いた後は、左右一対のサイドロック６は図４に示すように元の状態に戻る。ロックを解除したＦＰＣ用コネクタ１の側面図を図１０に示す。
【００３１】
図１０に示すようにハウジング凹部７−ｂは、ロック用フック７−ａが嵌合する凹部であり、上述のようにロックレバー３を閉じるとロックレバー３のロック用フック７−ａがハウジング凹部７−ｂに嵌合する。ロック用フック７−ａとハウジング凹部７−ｂは、ＦＰＣ用コネクタ１の両側面にそれぞれ２個形成され、ロック用フック７−ａとハウジング凹部７−ｂがＦＰＣ用コネクタ１の両側面で各々２箇所で嵌合することで、ロックレバー３による保持力を高めている。
【００３２】
一般にＦＰＣ用コネクタでは、ロックレバーの開閉機構だけでＦＰＣを保持する構造となっている。携帯機器等では、落下衝撃等によりロックレバーが開き、ＦＰＣが外れてしまったり、振動によりＦＰＣが徐々に引っ張られ、ＦＰＣが抜けてしまうという不具合も少なくない。即ち、ＦＰＣ用コネクタは厚み方向から押さえるだけの構造となっているため、挿入方向からの力には比較的弱く、抜けてしまうことがあり、接触不良の原因となっている。
【００３３】
本実施の形態では、一般的なＦＰＣ用コネクタの基本構造は踏襲しながら、振動によるＦＰＣの抜け防止としてサイドロック６を設け、ＦＰＣ９を保持している。更に衝撃でロックレバー３が不用意に開くことを防止するために、ＦＰＣ用コネクタの両側面をアウターロックレバー３−ｂで覆う形状にし、ロック用フック７−ａでコネクタハウジング２に固定するようにした。
【００３４】
また、ロック用フック７−ａはＦＰＣ用コネクタの両側面にそれぞれ２カ所配置し、保持力を高めている。これにより、衝撃や振動に対し、強固なコネクタ構造を実現した。加えて、製造性にも配慮しており、挿入口２０にはガイドバー２−ａを設けることにより、挿入するＦＰＣの位置決めをしやすくした。
【００３５】
サイドロック６は、上述のように略Ｌ字型で開閉軸１０を中心に回転可能であり、図４に示すように略Ｌ字型のサイドロック６のＦＰＣ接触端子５側が略円弧状に形成されている。一方、ＦＰＣ９の先端に略台形状の突起部９−ａを形成することで、ＦＰＣ９の挿入時にサイドロック６が突起部９−ａに外側に押し出され、その結果、サイドロック６が外側に開く構造としている。このサイドロック機構により、ＦＰＣ９に無理な応力がかかることなく、ＦＰＣ９の挿抜が可能となる。
【００３６】
ＦＰＣ９の挿入後には、サイドロック６が自動的に閉じて仮ロックされ、ロックレバー３を閉じることによりコネクタは完全にロックされる。作業手順として一般のＦＰＣ用コネクタと差異は少ない。更に、ロックレバー３を閉じた際にはロック用フック７−ａがハウジング凹部７−ｂに嵌合し、カチッと音を出す。ロック状態を音で作業者へ伝え、作業上のミスも防げるようになっている。
【００３７】
（第２の実施の形態）
図１１は、本発明の第２の実施の形態に係るＦＰＣ用コネクタを、図１−１に示すＣのラインに相当する個所で切断した場合の断面図である。図１１では図１〜図９等と同一部分には同一符号を付している。図１１に示すように、本実施の形態では、サイドロック６の開閉軸１０にコイルバネ１１を組み込んでいる。コイルバネ１１を組み込んだ以外は、構成や動作は図１〜図１０と同様である。なお、開閉軸１０はコネクタハウジング２と一体に形成され、サイドロック６は開閉軸１０に固定されておらず、開閉軸１０に対して回転可能である。ＦＰＣ９が挿入されていない通常時にはサイドロック６はコイルバネ１１のバネ圧力により図１１に示す状態にある。
【００３８】
第１の実施の形態では、上述のようにＦＰＣ９が挿入されるに従ってサイドロック６の円弧状部６−ｂが突起部９−ａの斜辺部分に押され、開閉軸１０を中心に時計回りに回転してサイドロック６が外側に開き、ＦＰＣ９が完全に挿入されるとサイドロック６は元の状態に戻るものである。
【００３９】
第２の実施の形態の基本動作は第１の実施の形態と同様であるが、開閉軸１０に弱い弾性を有するコイルバネ１１を配置することにより、サイドロック６の開閉の可動性を高め、ＦＰＣ９の挿抜性能を向上させている。即ち、ＦＰＣ９の挿入時にはサイドロック６がコイルバネ１１の力に抗して開閉軸１０を中心に回転して外側に開き、ＦＰＣ９が完全に挿入されるとサイドロック６がコイルバネ１１のバネ圧力により内側に閉じるようにすることでＦＰＣ９をスムーズに挿入することが可能となる。
【００４０】
また、ＦＰＣ９を引き抜く場合には、図９に示すようにＦＰＣ９の引き抜き動作に応じてサイドロック６はＦＰＣ９の突起部９−ａの後端の角部９−ｂに押され、コイルバネ１１のバネ圧力に抗して開閉軸１０を中心に反時計回りに回転して外側に開いていく。そのため、ＦＰＣ９の突起部９−ａとサイドロック６との係合が解除され、ＦＰＣ９はＦＰＣ用コネクタ１から引き抜くことが可能となる。ＦＰＣ９を引き抜いた後はサイドロック６はコイルバネ１１のバネ圧力により元の状態に戻る。このようにしてＦＰＣ９を引き抜く場合もスムーズに引き抜くことが可能となる。
【００４１】
本実施の形態では、第１の実施の形態に比べて弱い力でＦＰＣ９を挿抜することが可能となり、ＦＰＣ９の突起部９−ａへ掛かる負荷を軽減でき、製造・保守時の作業性も改善することが可能となる。本構成においてコイルバネ１１は、バネと同じ効果を得られる機構や材料であればよく、コイルバネ１１に限定されない。
【００４２】
上記の実施形態の一部又は全部は、以下の付記のようにも記載されうるが、以下には限らない。
【００４３】
（付記１）先端両側に抜け止め用突起部を有するＦＰＣ（フレキシブルプリント基板）を接続するためのＦＰＣ用コネクタであって、
略直方体状のハウジングを備え、
前記ハウジングは、
前記ＦＰＣが挿入される挿入口と、
前記挿入口の奥にあって、前記挿入口から挿入された前記ＦＰＣの端子と接触するＦＰＣ接触端子と、
前記ＦＰＣの抜け止め用突起部と係合し、前記ＦＰＣを左右両側からロックするための左右一対のサイドロックと、を有し、
前記ＦＰＣの先端両側に形成された抜け止め用突起部は、先端部から後側に向けて徐々に傾斜する斜辺部と、前記抜け止め用突起部の後端部に形成され、前記サイドロックと係合するための角部とを有し、
前記サイドロックは、前記ハウジングに開閉軸を中心に回転可能に取り付けられ、前記ＦＰＣの抜け止め用突起部の斜辺部に当接して前記開閉軸を中心に回転する当接部と、前記サイドロックの角部と係合する角部とを有し、
前記ＦＰＣの挿入時には、前記ＦＰＣの抜け止め用突起部の斜辺部により前記サイドロックの当接部が押され、前記ＦＰＣが挿入されるに従って前記サイドロックが前記開閉軸を中心に外側に開き、前記ＦＰＣが前記ＦＰＣ接触端子と導通するまで挿入された時には、前記サイドロックが前記開閉軸を中心に内側に回転して前記サイドロックの角部が、前記抜け止め用突起部の後端の角部と係合し、前記ＦＰＣを両側からロックすることを特徴とするＦＰＣ用コネクタ。
【００４４】
（付記２）前記サイドロックの当接部は円弧状に形成され、前記ＦＰＣの挿入時に前記ＦＰＣの突起部の斜辺部分が前記サイドロックの円弧状部に当接することを特徴とする付記１に記載のＦＰＣ用コネクタ。
【００４５】
（付記３）前記ハウジングは、その上部に、前記ハウジングの上面と側面とを覆う正面からは略コの字型のロックレバーを更に備え、
前記ロックレバーは、その一端をヒンジとして、前記ハウジングの上部に開閉可能に取り付けられ、前記ハウジングの上面及び側面を覆うように閉じることで、前記サイドロックが前記ＦＰＣをロックした状態を保持することを特徴とする付記１又は２に記載のＦＰＣ用コネクタ。
【００４６】
（付記４）前記ロックレバーは、前記ハウジングの側面に形成されたハウジング凹部と嵌合するロック用フックを、左右の両側面に備えることを特徴とする付記３に記載のＦＰＣ用コネクタ。
【００４７】
（付記５）前記サイドロックは前記開閉軸に接合され、前記ＦＰＣの挿入時に前記サイドロックの当接部が前記抜け止め用突起部に押された時には、前記サイドロックが前記開閉軸と共に前記開閉軸を中心にねじれることによって外側に開き、前記ＦＰＣが前記ＦＰＣ接触端子と導通するまで挿入された時には、前記サイドロックの復元力によって前記サイドロックが前記開閉軸を中心に回転して元の状態に戻ることを特徴とする付記１乃至４に記載のＦＰＣ用コネクタ。
【００４８】
（付記６）前記サイドロックは、前記開閉軸に回転可能に取り付けられ、且つ、前記回転軸にはバネが取り付けられ、前記ＦＰＣの挿入時に前記ＦＰＣの抜け止め用突起部により前記サイドロックの当接部が押された時には、前記バネのバネ圧力に抗して前記サイドロックが前記開閉軸を中心に回転して外側に開き、前記ＦＰＣが前記ＦＰＣ接触端子と導通するまで挿入された時には、前記サイドロックが前記バネのバネ圧力によって前記開閉軸を中心に内側に回転して元の状態に戻ることを特徴とする付記１乃至４のいずれか１項に記載のＦＰＣ用コネクタ。
【００４９】
（付記７）付記１乃至６のいずれか１項に記載のＦＰＣ用コネクタに接続され、先端両側に前記抜け止め用突起部を有することを特徴とするＦＰＣ。
【産業上の利用可能性】
【００５０】
本発明は、特に、各種携帯機器等のＦＰＣの接続用コネクタとして好適に用いることができる。
【符号の説明】
【００５１】
１  ＦＰＣ用コネクタ
２  コネクタハウジング
２−ａ  ガイドバー
３  ロックレバー
３−ａ  インナーロックレバー
３−ｂ  アウターロックレバー
３−ｃ  開閉用ツメ
４  端子
５  ＦＰＣ接触端子
６  サイドロック
６−ａ  円弧状部
６−ｂ  角部
７−ａ  ロック用フック
７−ｂ  ハウジング凹部
８  回転軸
９  ＦＰＣ
９−ａ  突起部
９−ｂ  角部
１０  開閉軸
１１  コイルバネ
２０  挿入口
【図１０】
2012009329.tif 000003
【図１−１】
2012009329.tif 000004
【図１−２】
2012009329.tif 000005
【図１−３】
2012009329.tif 000006
【図２−１】
2012009329.tif 000007
【図２−２】
2012009329.tif 000008
【図３−１】
2012009329.tif 000009
【図３−２】
2012009329.tif 000010
【図４】
2012009329.tif 000011
【図５】
2012009329.tif 000012
【図６】
2012009329.tif 000013
【図７】
2012009329.tif 000014
【図８】
2012009329.tif 000015
【図９】
2012009329.tif 000016
【図１１】
2012009329.tif 000017